(57)【要約】【課題】構造を簡素化し、かつ、広いスペースを利用しながら、蒸発器からの除霜水の排水が、容易にできる効率のよいヒートポンプ給湯機を提供すること。【解決手段】本発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、傾斜面を設けることにより、蒸発器から落下した除霜水をスムーズに排水処理することができる。【選択図】図２
2009002549.tif 000002
【特許請求の範囲】
【請求項１】
冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、傾斜面を設けることを特徴とするヒートポンプ給湯機。
【請求項２】
冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、Ｒ面を設けたことを特徴とするヒートポンプ給湯機。
【請求項３】
冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記箱型板状の天面全体が、前記蒸発器の方向に傾斜する傾斜面であることを特徴とするヒートポンプ給湯機。
【発明の詳細な説明】
【技術分野】
【０００１】
本発明は蒸発器に氷の成長を可能な限り抑制するヒートポンプ運転を実現し、ヒートポンプ給湯機への利用として有用である。
【背景技術】
【０００２】
この分野の凍結防止方法としてヒートポンプ式給湯機を小型化にして蒸発器の下部に除霜水の受け皿を配置し排水する構成としている（例えば、特許文献１参照）。
【０００３】
図５は従来の蒸発器の設置構成を示す図である。蒸発器の下部に配設された受け皿２２は、受け皿２２の下方に設置されている圧縮機２１の加熱により、受け皿内の除霜水に伝わり凍結が防止できる。
【特許文献１】特開２００６−０９０６０５号公報
【発明の開示】
【発明が解決しようとする課題】
【０００４】
しかしながら、前記従来の構成では、受け皿内に多量の水が滞留した場合に、圧縮機の加熱だけでは受け皿内の除霜水は完全には無くならず、また、運転停止後は、圧縮機が停止するため受け皿に熱が伝わらずに凍結する可能性があり、さらに、給湯機本体の小型化によって密集状態になっているため、この場合に受け皿に溜まった除霜水を排水しようとしても、メンテナンス性が不十分であり排水するのに時間がかかるという課題があった。
【０００５】
また、除霜水を貯めておくスペースが少なく受け皿が満杯になった場合、排水ができるスペースがなく蒸発器への凍結の影響もあり現実的に非常におおきな課題があった。
【０００６】
本発明は、構造を簡素化し、かつ、広いスペースを利用しながら、蒸発器からの除霜水の排水が、容易にできる効率のよいヒートポンプ給湯機を提供することを目的としている。
【課題を解決するための手段】
【０００７】
前記従来の課題を解決するために、本発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、傾斜面を設けることにより、蒸発器から落下した除霜水をスムーズに排水処理することができる。
【０００８】
また、本発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、Ｒ面を設けたことにより、蒸発器から落下した除霜水をスムーズに排水処理することができる。
【０００９】
また、本発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方
下部に前記水冷媒熱交換器を配設し、前記箱型板の上部に送風ファンを固定する固定金具を介して送風ファンを配設するとともに、前記箱型板状の天面全体が、前記蒸発器の方向に傾斜する傾斜面であることにより、蒸発器から落下した除霜水をスムーズに排水処理することができる。
【発明の効果】
【００１０】
本発明のヒートポンプ給湯機は、構造を簡素化し、かつ、広いスペースを利用しながら、蒸発器からの除霜水の排水が、容易にできる効率のよいヒートポンプ給湯機を提供することができる。
【発明を実施するための最良の形態】
【００１１】
第１の発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、傾斜面を設けることにより、蒸発器から落下した除霜水をスムーズに排水処理することができる。
【００１２】
第２の発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記蒸発器と対向する前記箱型板上に、Ｒ面を設けたことにより、蒸発器から落下した除霜水をスムーズに排水処理することができる。
【００１３】
第３の発明のヒートポンプ給湯機は、冷媒と水とを熱交換する水冷媒熱交換器と、前記水冷媒熱交換器を覆う金属製の箱型板と、冷媒と空気との熱交換を行う蒸発器と、前記蒸発器に送風する送風ファンとを有したヒートポンプユニットを備え、前記蒸発器の前方下部に前記水冷媒熱交換器を配設し、前記箱型板の上部に送風ファンを固定する固定金具を介して送風ファンを配設するとともに、前記箱型板状の天面全体が、前記蒸発器の方向に傾斜する傾斜面であることにより、蒸発器から落下した除霜水をスムーズに排水処理することができる。
【００１４】
以下、本発明の実施の形態について、図面を参照しながら説明する。なお、この実施の形態によって本発明が限定されるものではない。
【００１５】
（実施の形態１）
図１及び図２は本発明のヒートポンプ給湯機の室外機の平面説明図である。基板８上に圧縮機１２と水熱交換器３を搭載し、その間に仕切板１４を設けて蒸発器１に固定している。水熱交換器３は保温材６に密閉断熱され、金属製の箱板２によって覆われている。連結具４は基板８と箱板２に固定され、その上方に蒸発器１を配置している。蒸発器１から蒸発した除霜水が基板８上に落下し、スムーズに排水して凍結を防ぐことができるように基板８と蒸発器１の間に空間を設けている。  また、箱板２に面取部２−１を設けることで、箱板２の天面に除霜水が滞留するのを防止し、蒸発器１から落下した水がスムーズに排水処理できることで凍結を未然に防いでいる。また、２−１の部分のみだけでなく、２−２及び２−３の部分にも面取りを施すことにより、蒸発器１から落下した除霜水が面取り部に伝わった場合スムーズに排水することができる。
【００１６】
次に図３を用いて説明する。Ｒ面２−４のように面取部２−１または２−２、２−３の代わりにＲ面を施した形状としても面取りの場合と同様の効果が得られる。またＲ形状と
することで曲げ加工が容易であるとともに、割れを防止し品質向上を図ることができ、生産性向上を実現し生産コストも抑えることができる。
【００１７】
更に、図４を用いて説明する。２−４のように、箱板２の天面を傾斜とし、面取りまたはＲ付け等の曲げ加工を施さなくても可能なため簡素化することができ凍結防止が実現できる。この構造により、蒸発器から落下し外箱２の天面に滞留した除霜水は、傾斜面を伝って下り方向に流れて排水させることが可能となり、天面が傾斜になっているため水が滞留することがない。
【００１８】
尚、本発明は、簡単な構造で排水処理がスムーズにできると共に、部品点数を抑えることにより組立性が向上し、断熱性も備え部品コストを抑制できるヒートポンプ給湯機となる。
【産業上の利用可能性】
【００１９】
以上のように、本発明にかかるヒートポンプ給湯機は、水熱交換器換器に覆われている箱板に傾斜面を設けて蒸発器から発生する除霜水をスムーズに排水できる構成とすることで、凍結を防止することができ、よりコンパクトなヒートポンプ給湯機として有用できる。
【図面の簡単な説明】
【００２０】
【図１】本発明のヒートポンプ給湯機の平面図
【図２】本発明のヒートポンプ給湯機の連結部周辺の概略図
【図３】本発明のヒートポンプ給湯機の連結部周辺の概略図
【図４】本発明のヒートポンプ給湯機の連結部周辺の概略図
【図５】従来のヒートポンプ給湯機の概略図
【符号の説明】
【００２１】
１  蒸発器
２  箱板
２−１  面取り部
２−２  面取り部
２−３  面取り部
２−４  Ｒ面
２−５  傾斜面
３  水熱交換器
４  連結具
４−１  貫通穴
４−２  貫通穴
４−３  貫通穴
５  ねじ
６  保温材
６−１  保温材（下）
６−２  保温材（上）
７  ファンモーター
８  基板
１２  圧縮機
１３  冷媒管
１４  仕切板
１５  水熱交換器入口
１６  水熱交換器出口
２１  圧縮機
２２  受け皿
２３  蒸発器
２４  ファン
【図１】
2009002549.tif 000003
【図２】
2009002549.tif 000004
【図３】
2009002549.tif 000005
【図４】
2009002549.tif 000006
【図５】
2009002549.tif 000007